(57)【要約】【課題】部品数を削減すると共に簡便に線香を立てることができ利便性が高い線香立てガイドを提供する。【解決手段】線香立てガイド１１は、線香立て１２内部に戴置され、難燃性材料または少なくとも耐熱性を有する耐熱材料などから形成され、線香立て１２内部に設置／取出し自在な大きさに定められ、線香立て１２内部の底部１５の形状に対応した形状を有し、前記底部１５に当接する底板１３と、底板１３に一体に立設され、底板１３よりも小径な柱状のガイド体１４であって、内部に軸線方向に沿って、１つまたは複数のガイド穴１６が形成されているガイド体とを備えることを特徴とする。【選択図】図１
2007252876.tif 000002
【特許請求の範囲】
【請求項１】
線香立て内部に戴置され、難燃性材料または少なくとも耐熱性を有する耐熱材料などから形成され、
線香立て内部に設置／取出し自在な大きさに定められ、線香立て内部の底部の形状に対応した形状を有し、前記底部に当接する底板と、
該底板に一体に立設され、底板よりも小径な柱状のガイド体であって、内部に軸線方向に沿って、１つまたは複数のガイド穴が形成されているガイド体とを備えることを特徴とする線香立てガイド。
【請求項２】
前記底板のガイド体と反対側に弾性体が固着されていることを特徴とする請求項１に記載の線香立てガイド。
【発明の詳細な説明】
【技術分野】
【０００１】  本発明は、線香立て内部に設置され、線香の灰がない状態でも、線香を直立状態に保持する線香立てガイドに関するものである。
【背景技術】
【０００２】  線香を、線香立てや香炉（以下、線香立てと総称する）内に立てる手法として、従来では、線香立て内部に、線香が燃焼した後の線香灰を溜め、その線香灰に線香を差込んで立てるようにしている。また、他の手法として、図６に示される下記特許文献１の手法がある。この手法は、線香立て１の開口部２に、線香３が挿通可能な粗さの金網４を設置した構造を採用する。線香立て１の内部には、線香灰５が所定量、貯留されている。この従来技術では、金網４を介して線香３を線香灰５に差し込む。線香３の下端部は線香灰５に埋設され、中間部は金網４で保持される。【０００３】  従って、線香灰５が少量の場合でも、線香３は金網４に中間部を保持されて、転倒することなく直立状態が保持される。このたｍ、線香３の燃焼中に線香３が傾いたり倒れることによる線香灰５の線香立て１の外への飛散などが防止され、線香立て１の周囲を清浄に維持することができる。【０００４】
【特許文献１】  特開２００１−２８６３８６号公報（第０００９段落及び図４）
【発明の開示】
【発明が解決しようとする課題】
【０００５】  このような従来技術の金網４を使用する線香３の直立保持構造は線香立て１の内部に線香灰５が必要であり、例として墓石前に設置された線香立て１に春秋期に参拝する場合、線香立て１に貯留する線香灰５を別途購入するなどして準備する必要があり、線香立て１に線香３を立てるに際して、線香灰５という別部品が必要であり、線香灰５を購入、準備する手間を要する。【０００６】  本発明は、上記問題点を解決しようとして成されたものであり、その目的は、線香立てに線香を立てるに際して、必要な部品数を削減すると共に、極めて簡便に線香を立てることができ、線香の燃えカスを簡便に処理することができる利便性が高い線香立てガイドを提供することである。
【課題を解決するための手段】
【０００７】  以下、上記目的を達成するための手段及びその作用について説明する。請求項１の発明の線香立てガイドは、線香立て内部に戴置され、難燃性材料または少なくとも耐熱性を有する耐熱材料などから形成され、線香立て内部に設置／取出し自在な大きさに定められ、線香立て内部の底部の形状に対応した形状を有し、前記底部に当接する底板と、該底板に一体に立設され、底板よりも小径な柱状のガイド体であって、内部に軸線方向に沿って、１つまたは複数のガイド穴が形成されているガイド体とを備えることを特徴とする。【０００８】  これにより、線香立てガイドは、その底板が、線香立て内部の底部に対応した形状を有するので、前記底部に当接する際に、ぐらつき無く当接する。従って、線香立て内部に設置された線香立てガイドは、ぐらつく事無く、設置された姿勢を維持する。【０００９】  この線香立てガイドのガイド体のガイド穴に線香を差し込んで立てることにより、線香立て内部に線香灰を貯留することなく、線香を直立状態で立てることができる。【００１０】  また、線香立てガイドに立てられた線香は、前記ガイド穴先端部付近で燃え尽きるが、ガイド穴に残った燃えカスは、線香立てガイドを指などをつまんで線香立てから取り出して、さかさまの姿勢にするなどにより、取り出して処理することができる。【００１１】  請求項２の発明の線香立てガイドは、請求項１記載の発明において、前記底板のガイド体と反対側に弾性体が固着されている。これにより、線香立ての底部が平板状であれ湾曲形状であれ、線香立てガイドを線香立て内部に挿入し、線香立ての底部に押し付けて、弾性体を変形させることにより、線香立てガイドは安定した直立状態を実現することができる。
【発明の効果】
【００１２】  以上のように、請求項１の発明の線香立てガイドは、その底板が、線香立て内部の底部に対応した形状を有するので、前記底部に当接する際に、ぐらつきが無く、線香立て内部に設置された線香立てガイドは、ぐらつく事無く、設置された姿勢を維持する。【００１３】  線香立てに線香を立てるに際しては、この線香立てガイドのガイド体のガイド穴に線香を差し込んで立てればよい。従って、線香立て内部に線香灰を貯留することなく、線香を直立状態で立てることができ、線香立てに線香を立てる際に、線香のぐらつきや傾斜、転倒などを配慮する必要が解消される。また、線香を立てるに際して、線香灰を事前に準備する必要が解消される。これにより、線香を線香立てに立てる際に必要な部品点数を削減することができる。【００１４】  また、線香立てガイドのガイド穴先端部付近で燃え尽きた燃えカスは、線香立てガイドを指などをつまんで線香立てから取り出して、さかさまの姿勢にするなどにより、簡便に取り出して処理することができ、利便性が格段に向上される。【００１５】  また、請求項２の発明の線香立てガイドによれば、線香立ての底部が平板状であれ湾曲形状であれ、線香立てガイドは安定した直立状態を実現することができる。これにより、本実発明の線香立てガイドであっても、前述した作用効果と同様な作用効果を実現することができる。
【発明を実施するための最良の形態】
【００１６】  以下に、本発明を、発明を実施するための最良の形態である下記の実施例に沿って説明する。但し、本発明は下記の実施例に限定されるものではなく、技術分野、材料、製法、形状、或いは構造に関して、本発明の精神を逸脱しない範囲で広範な変形例を含むものである。【００１７】  （第１実施例）
図１は本実施例の線香立てガイド１１を線香立て１２の内部に設置した状態の断面図であり、図２は線香立てガイド１１の斜視図であり、図３は線香立てガイド１１の平面図である。以下、各図面を参照して、本実施例について説明する。【００１８】  本実施例の線香立てガイド１１は、線香立て１２内部に戴置され、難燃性材料または少なくとも耐熱性を有する耐熱材料、一例として金属材料或いは難燃性樹脂材料などから形成される。線香立てガイド１１は、底板１３とガイド体１４を備えている。底板１３は、線香立て１２内部に設置／取出し自在な大きさに定められる。具体的には、線香立て１２の開口部１７よりも小径であり、線香立て１２内部の円板状の底部１５の径Ｌ１とほぼ等しいか僅かに小さい径Ｌ２に定められる。このように、底板１３は、線香立て１２の底部１５の形状に対応した形状を有する。【００１９】  前記ガイド体１４は、底板１３に一体に立設され、底板１３の径Ｌ２よりも小さな径Ｌ３を有する円柱状に形成される。ガイド体１４の内部には、軸線方向に沿って、１つまたは複数のガイド穴１６が形成されている。ガイド穴１６の径は、線香１８を差し込むことができ、しかも線香１８がガイド穴１６の内部で大きくぐらつかない程度の径に形成される。み本実施例では、３つのガイド穴１６が形成されるが、本発明はこれに限定されるものではない。【００２０】  以上の構成を有する本実施例の線香立てガイド１１は、その底板１３が、線香立て１２内部の底部１５に対応した形状を有するので、前記底部１５に当接する際に、ぐらつき無く当接する。従って、線香立て１２内部に設置された線香立てガイド１１は、ぐらつく事無く、設置された姿勢を維持する。【００２１】  この線香立てガイド１１のガイド体１４のガイド穴１６に線香１８を差し込んで立てることにより、線香立て１２内部に線香灰を貯留することなく、線香１８を直立状態で立てることができる。【００２２】  線香立て１２に線香１８を立てるに際しては、この線香立てガイド１１のガイド体１４のガイド穴１６に線香１８を差し込んで立てればよい。従って、線香立て１２内部に線香灰を貯留することなく、線香１８を直立状態で立てることができ、線香立て１２に線香を立てる際に、線香１８のぐらつきや傾斜、転倒などを配慮する必要が解消される。また、線香１８を立てるに際して、線香灰を事前に準備する必要が解消される。これにより、線香１８を線香立１２てに立てる際に必要な部品点数を削減することができる。【００２３】  また、線香立てガイド１１に立てられた線香１８は、前記ガイド穴１６先端部付近で燃え尽きるが、ガイド穴１６に残った燃えカスは、線香立てガイド１１を指などをつまんで線香立て１２から取り出して、さかさまの姿勢にするなどにより、取り出して処理することができ、利便性が格段に向上される。【００２４】  （第２実施例）
図４は本発明の第２実施例の線香立てガイド１１ａが設置された線香立て１２ａの断面図である。本実施例は前記第１実施例に類似し、対応する部分には同一の参照符号を付す。本実施例の特徴は、線香立て１１ａの底部１５ａが半径方向外方になるに従い上方に向けて湾曲した形状であり、その湾曲形状に対応して、ガイド体１１ａの底板１３ａも、同様な湾曲形状に形成されていることである。【００２５】  本実施例によれば、底部１５ａが湾曲した線香立て１２ａであっても、線香立てガイド１１ａは、前記実施例と同様に、ぐらつき無く線香立て１２ａに設置される。これにより、本実施例の線香立て１１ａであっても、前記実施例で説明した作用効果と同様な作用効果を実現することができる。【００２６】  （第３実施例）
図５は本発明の第３実施例の線香立てガイド１１ｂの断面図である。本実施例は前記第１実施例に類似し、対応する部分には同一の参照符号を付す。本実施例の特徴は、線香立てガイド１１ｂの平板状の底板１３のガイド体１４と反対側に弾性体１９を固着させたことである。【００２７】  本実施例によれば、線香立ての底部が平板状であれ湾曲形状であれ、線香立てガイド１１ｂを線香立て内部に挿入し、線香立ての底部に押し付けて、弾性体１９を変形させることにより、線香立てガイド１１ｂは安定した直立状態を実現することができる。これにより、本実施例の線香立て１１ｂであっても、前記実施例で説明した作用効果と同様な作用効果を実現することができる。
【産業上の利用可能性】
【００２８】  本発明は、実施例で説明された線香立てに関連する産業分野で広く実施することができる。また、本発明は、線香立て用途に限定されず、香炉などに関連する広範な産業分野において、実施されることができる。
【図面の簡単な説明】
【図１】  本発明の第１実施例の線香立てガイド１１を線香立て１２の内部に設置した状態の断面図である。
【図２】  線香立てガイド１１の斜視図である。
【図３】  線香立てガイド１１の平面図である。
【図４】  本発明の第２実施例の線香立てガイド１１ａを線香立て１２ａの内部に設置した状態の断面図である。
【図５】  本発明の第３実施例の線香立てガイド１１ｂの断面図である。
【図６】  従来技術の断面図である。
【符号の説明】
１１、１１ａ、１１ｂ  線香立てガイド
１２、１２ａ  線香立て
１３、１３ａ  底板
１４  ガイド体
１５、１５ａ  底部
１６  ガイド穴
１７  開口部
１９  弾性体
【図１】
2007252876.tif 000003
【図２】
2007252876.tif 000004
【図３】
2007252876.tif 000005
【図４】
2007252876.tif 000006
【図５】
2007252876.tif 000007
【図６】
2007252876.tif 000008